(57)【要約】      （修正有）【課題】複数の領域に画像が印字された原稿において、各領域毎のセキュリティ管理を行うことができる使い勝手の良い画像形成装置等を提供する。【解決手段】複数の領域３１ａ、３１ｂに画像が印字された原稿２３の画像を読み取る読取手段と、読み取られた原稿の画像データを用紙に印字する印字手段と、原稿の複数の領域のそれぞれに付加されたセキュリティコードを検出する検出手段と、複数の領域のうちの少なくとも１つの領域に付加されたパスワードを検出する検出手段を備える。検出されたパスワードの入力を要求し、適正なパスワードが入力されたか否かを判別し、判別結果に基づいて、パスワードが付加された領域の画像データの印字内容を制御する。【選択図】図４
2008118215.tif 000002
【特許請求の範囲】
【請求項１】
複数の領域に画像が印字された原稿の画像を読み取る原稿読取手段と、
前記原稿読取手段により読み取られた原稿の画像データを用紙に印字する印字手段と、
前記原稿の複数の領域のそれぞれに付加されたセキュリティコードを検出するセキュリティコード検出手段と、
前記原稿の複数の領域のうちの少なくとも１つの領域に付加されたパスワードを検出するパスワード検出手段と、
前記パスワード検出手段により検出されたパスワードの入力を要求する入力要求手段と、
前記適正なパスワードが入力されたか否かを判別するパスワード判別手段と、
前記パスワード判別手段による判別結果に基づいて、パスワードが付加された領域の画像データの前記印字手段による印字内容を制御する制御手段と、
を備えたことを特徴とする画像処理装置。
【請求項２】
前記パスワード判別手段により適正なパスワードが入力されたと判別された場合には、前記制御手段は、そのパスワードが付加された領域の画像データの印字を許可する請求項１に記載の画像処理装置。
【請求項３】
前記原稿は、Ｎ枚の元原稿の画像を用紙１枚に印字するＮｉｎ１モードにより複数の領域に画像が印字された原稿であり、前記パスワード検出手段は、元原稿について設定されたパスワードを検出する請求項１に記載の画像処理装置。
【請求項４】
前記パスワード判別手段により適正なパスワードが入力されなかったと判別された場合には、前記制御手段は、そのパスワードが付加された領域が白紙で出力されるように、印字手段を制御する請求項１に記載の画像処理装置。
【請求項５】
前記パスワード判別手段により適正なパスワードが入力されなかったと判別された場合には、前記制御手段は、その原稿についての印字ジョブを破棄する請求項１に記載の画像処理装置。
【請求項６】
前記パスワード判別手段により適正なパスワードが入力されなかったと判別された場合には、前記制御手段は、コピー禁止の情報を印字するように印字手段を制御する請求項１に記載の画像処理装置。
【請求項７】
前記パスワード判別手段により適正なパスワードが入力されなかったと判別された場合には、前記制御手段は、そのパスワードが付加された領域の画像データの色を変更して印字するように、印字手段を制御する請求項１に記載の画像処理装置。
【請求項８】
前記パスワード判別手段により適正なパスワードが入力されなかったと判別された場合には、前記制御手段は、そのパスワードが付加された領域の画像データの濃度を変更して印字するように、印字手段を制御する請求項１に記載の画像処理装置。
【請求項９】
前記パスワード判別手段により適正なパスワードが入力されなかったと判別された場合には、前記制御手段は、そのパスワードが付加された領域の画像データの倍率を変更して印字するように、印字手段を制御する請求項１に記載の画像処理装置。
【請求項１０】
前記パスワード判別手段により適正なパスワードが入力されなかったと判別された場合には、前記制御手段は、そのパスワードが付加された領域以外の領域の画像が、適正でないと判別された領域の画像部分に詰めて印字されるように、印字手段を制御する請求項１に記載の画像処理装置。
【請求項１１】
前記パスワード判別手段により適正なパスワードが入力されなかったと判別された場合には、前記制御手段は、そのパスワードが付加された領域以外の領域の画像が、その回転および／または拡大により、そのパスワードが付加された領域の画像部分を埋めた状態で印字されるように、印字手段を制御する請求項１に記載の画像処理装置。
【請求項１２】
表示手段を備え、
前記パスワード判別手段により適正なパスワードが入力されなかったと判別された場合には、前記制御手段は、コピー禁止を示すメッセージを前記表示手段に表示させる請求項１〜１１のいずれかに記載の画像処理装置。
【請求項１３】
前記原稿のパスワードが付加された領域を表示する表示手段を備えている請求項１〜１２のいずれかに記載の画像処理装置。
【請求項１４】
前記セキュリティコードおよびパスワードは地紋パターンとして画像と共に用紙に印字される請求項１〜１３のいずれかに記載の画像処理装置。
【請求項１５】
前記印字手段により印字された用紙に、新たなパスワードを付加するパスワード付加手段を備えている請求項１〜１４のいずれかに記載の画像処理装置。
【請求項１６】
原稿の画像を読み取る原稿読取手段と、
前記原稿読取手段により読み取られた原稿の画像データを用紙に印字する印字手段と、
Ｎ枚の原稿の画像を用紙１枚に印字するＮｉｎ１モードを設定可能なモード設定手段と、
セキュリティコード付加モードにおいて、前記モード設定手段によりＮｉｎ１モードが設定されている場合には、前記用紙における各原稿の画像データの印字領域毎にセキュリティコードを付加するセキュリティコード付加手段と、
Ｎｉｎ１モードが設定されている場合に、印字後の複数の領域を表示する前記表示手段と、
前記表示手段に表示された複数の領域のうちの少なくとも一つの領域を選択する領域選択手段と、
前記選択された領域にパスワードを付加するパスワード付加手段と、
を備えたことを特徴とする画像処理装置。
【請求項１７】
複数の領域に画像が印字された原稿の画像を読み取るステップと、
前記読み取られた原稿の画像データを用紙に印字するステップと、
前記原稿の複数の領域のそれぞれに付加されたセキュリティコードを検出するステップと、
前記原稿の複数の領域のうちの少なくとも１つの領域に付加されたパスワードを検出するステップと、
前記検出されたパスワードの入力を要求するステップと、
前記入力されたパスワードが適正か否かを判別するステップと、
前記判別結果に基づいて、パスワードが付加された領域の画像データの印字内容を制御するステップと、
を備えたことを特徴とする画像処理方法。
【請求項１８】
原稿の画像を読み取るステップと、
Ｎ枚の原稿の画像を用紙１枚に印字するＮｉｎ１モードを設定するステップと、
セキュリティコード付加モードにおいて、前記Ｎｉｎ１モードが設定されている場合には、前記用紙における各原稿の画像データの印字領域毎にセキュリティコードを付加するステップと、
Ｎｉｎ１モードが設定されている場合に、印字後の複数の領域を表示するステップと、
前記表示された複数の領域のうちの少なくとも一つの領域を選択するステップと、
前記選択された領域にパスワードを付加するステップとを、
を備えたことを特徴とする画像処理方法。
【請求項１９】
複数の領域に画像が印字された原稿の画像を読み取るステップと、
前記読み取られた原稿の画像データを用紙に印字するステップと、
前記原稿の複数の領域のそれぞれに付加されたセキュリティコードを検出するステップと、
前記原稿の複数の領域のうちの少なくとも１つの領域に付加されたパスワードを検出するステップと、
前記検出されたパスワードの入力を要求するステップと、
前記入力されたパスワードが適正か否かを判別するステップと、
前記判別結果に基づいて、パスワードが付加された領域の画像データの印字内容を制御するステップと、
を画像処理装置のコンピュータに実行させるための画像処理プログラム。
【請求項２０】
原稿の画像を読み取るステップと、
Ｎ枚の原稿の画像を用紙１枚に印字するＮｉｎ１モードを設定するステップと、
セキュリティコード付加モードにおいて、前記Ｎｉｎ１モードが設定されている場合には、前記用紙における各原稿の画像データの印字領域毎にセキュリティコードを付加するステップと、
Ｎｉｎ１モードが設定されている場合に、印字後の複数の領域を表示するステップと、
前記表示された複数の領域のうちの少なくとも一つの領域を選択するステップと、
前記選択された領域にパスワードを付加するステップとを、
を画像処理装置のコンピュータに実行させるための画像処理プログラム。
【発明の詳細な説明】
【技術分野】
【０００１】
この発明は、セキュリティコードおよびパスワードが付加されている原稿の前記セキュリティコードおよびパスワードを検出することができ、あるいはセキュリティコードおよびパスワードが付加されている原稿を作成できる、多機能デジタル複合機であるＭＦＰ(Multi Function Peripherals)などに適用される画像処理装置、画像処理方法および画像処理装置のコンピュータに画像処理を実行させるための画像処理プログラムに関する。
【背景技術】
【０００２】
近年、例えば機密文書を複写機などでコピーしたものが外部に流出したり、原本をコピーした印刷物（出力物）が原本として悪用されたりすることを防ぐために、紙文書に対するセキュリティが強化されつつある。
【０００３】
例えば、従来、地紋パターンにより画像データの出力処理について「禁止／許可」を設定し、パスワードの入力によって「禁止」の解除を与えるようにした技術が知られている（例えば、特許文献１参照）。
【０００４】
また、機密文書にパスワードを付加するようにした技術も知られている（例えば、特許文献２参照）。
【特許文献１】特開２００４−２０１０６９号公報
【特許文献２】特開２００３−３１６５５２号公報
【発明の開示】
【発明が解決しようとする課題】
【０００５】
しかし、上述した特許文献に記載された技術では、１枚の原稿に対して１個のパスワードが付与されるものであるため、次のように欠点があった。
【０００６】
即ち、例えば、Ｎ枚の元原稿の画像を用紙１枚に印字するＮｉｎ１モードにより複数の領域に画像が印字された原稿において、各元原稿に、高いセキュリティを要求される原稿、例えば著作権上保護されるべき文書や画像、秘密情報、個人情報等を含む原稿や、セキュリティが要求されない原稿が含まれていたとしても、これらが各領域に印字された原稿の全体に１個のパスワードしか付加できないため、セキュリティ管理の柔軟性に欠け、使い勝手が良くないという欠点があった。
【０００７】
この発明は、上記実情に鑑みてなされたものであり、複数の領域に画像が印字された原稿において、各領域毎のセキュリティ管理を行うことができる使い勝手の良い画像形成装置、画像処理方法および画像処理装置のコンピュータに画像処理を実行させるための画像処理プログラムを提供することを目的とする。
【０００８】
この発明はさらに、複数の領域に画像が印字されかつ各領域毎のセキュリティ管理を行うことができる原稿を作成するための画像処理装置、画像処理方法および画像処理装置のコンピュータに画像処理を実行させるための画像処理プログラムを提供することを目的とする。
【課題を解決するための手段】
【０００９】
前記課題は、以下の手段によって解決される。
（１）複数の領域に画像が印字された原稿の画像を読み取る原稿読取手段と、前記原稿読取手段により読み取られた原稿の画像データを用紙に印字する印字手段と、前記原稿の複数の領域のそれぞれに付加されたセキュリティコードを検出するセキュリティコード検出手段と、前記原稿の複数の領域のうちの少なくとも１つの領域に付加されたパスワードを検出するパスワード検出手段と、前記パスワード検出手段により検出されたパスワードの入力を要求する入力要求手段と、前記適正なパスワードが入力されたか否かを判別するパスワード判別手段と、前記パスワード判別手段による判別結果に基づいて、パスワードが付加された領域の画像データの前記印字手段による印字内容を制御する制御手段と、を備えたことを特徴とする画像処理装置。
（２）前記パスワード判別手段により適正なパスワードが入力されたと判別された場合には、前記制御手段は、そのパスワードが付加された領域の画像データの印字を許可する前項１に記載の画像処理装置。
（３）前記原稿は、Ｎ枚の元原稿の画像を用紙１枚に印字するＮｉｎ１モードにより複数の領域に画像が印字された原稿であり、前記パスワード検出手段は、元原稿について設定されたパスワードを検出する前項１に記載の画像処理装置。
（４）前記パスワード判別手段により適正なパスワードが入力されなかったと判別された場合には、前記制御手段は、そのパスワードが付加された領域が白紙で出力されるように、印字手段を制御する前項１に記載の画像処理装置。
（５）前記パスワード判別手段により適正なパスワードが入力されなかったと判別された場合には、前記制御手段は、その原稿についての印字ジョブを破棄する前項１に記載の画像処理装置。
（６）前記パスワード判別手段により適正なパスワードが入力されなかったと判別された場合には、前記制御手段は、コピー禁止の情報を印字するように印字手段を制御する前項１に記載の画像処理装置。
（７）前記パスワード判別手段により適正なパスワードが入力されなかったと判別された場合には、前記制御手段は、そのパスワードが付加された領域の画像データの色を変更して印字するように、印字手段を制御する前項１に記載の画像処理装置。
（８）前記パスワード判別手段により適正なパスワードが入力されなかったと判別された場合には、前記制御手段は、そのパスワードが付加された領域の画像データの濃度を変更して印字するように、印字手段を制御する前項１に記載の画像処理装置。
（９）前記パスワード判別手段により適正なパスワードが入力されなかったと判別された場合には、前記制御手段は、そのパスワードが付加された領域の画像データの倍率を変更して印字するように、印字手段を制御する前項１に記載の画像処理装置。
（１０）前記パスワード判別手段により適正なパスワードが入力されなかったと判別された場合には、前記制御手段は、そのパスワードが付加された領域以外の領域の画像が、適正でないと判別された領域の画像部分に詰めて印字されるように、印字手段を制御する前項１に記載の画像処理装置。
（１１）前記パスワード判別手段により適正なパスワードが入力されなかったと判別された場合には、前記制御手段は、そのパスワードが付加された領域以外の領域の画像が、その回転および／または拡大により、そのパスワードが付加された領域の画像部分を埋めた状態で印字されるように、印字手段を制御する前項１に記載の画像処理装置。
（１２）表示手段を備え、前記パスワード判別手段により適正なパスワードが入力されなかったと判別された場合には、前記制御手段は、コピー禁止を示すメッセージを前記表示手段に表示させる前項１〜１１のいずれかに記載の画像処理装置。
（１３）前記原稿のパスワードが付加された領域を表示する表示手段を備えている前項１〜１２のいずれかに記載の画像処理装置。
（１４）前記セキュリティコードおよびパスワードは地紋パターンとして画像と共に用紙に印字される前項１〜１３のいずれかに記載の画像処理装置。
（１５）前記印字手段により印字された用紙に、新たなパスワードを付加するパスワード付加手段を備えている前項１〜１４のいずれかに記載の画像処理装置。
（１６）原稿の画像を読み取る原稿読取手段と、前記原稿読取手段により読み取られた原稿の画像データを用紙に印字する印字手段と、Ｎ枚の原稿の画像を用紙１枚に印字するＮｉｎ１モードを設定可能なモード設定手段と、セキュリティコード付加モードにおいて、前記モード設定手段によりＮｉｎ１モードが設定されている場合には、前記用紙における各原稿の画像データの印字領域毎にセキュリティコードを付加するセキュリティコード付加手段と、Ｎｉｎ１モードが設定されている場合に、印字後の複数の領域を表示する前記表示手段と、前記表示手段に表示された複数の領域のうちの少なくとも一つの領域を選択する領域選択手段と、前記選択された領域にパスワードを付加するパスワード付加手段と、を備えたことを特徴とする画像処理装置。
（１７）複数の領域に画像が印字された原稿の画像を読み取るステップと、前記読み取られた原稿の画像データを用紙に印字するステップと、前記原稿の複数の領域のそれぞれに付加されたセキュリティコードを検出するステップと、前記原稿の複数の領域のうちの少なくとも１つの領域に付加されたパスワードを検出するステップと、前記検出されたパスワードの入力を要求するステップと、前記入力されたパスワードが適正か否かを判別するステップと、前記判別結果に基づいて、パスワードが付加された領域の画像データの印字内容を制御するステップと、を備えたことを特徴とする画像処理方法。
（１８）原稿の画像を読み取るステップと、Ｎ枚の原稿の画像を用紙１枚に印字するＮｉｎ１モードを設定するステップと、セキュリティコード付加モードにおいて、前記Ｎｉｎ１モードが設定されている場合には、前記用紙における各原稿の画像データの印字領域毎にセキュリティコードを付加するステップと、Ｎｉｎ１モードが設定されている場合に、印字後の複数の領域を表示するステップと、前記表示された複数の領域のうちの少なくとも一つの領域を選択するステップと、前記選択された領域にパスワードを付加するステップとを、を備えたことを特徴とする画像処理方法。
（１９）複数の領域に画像が印字された原稿の画像を読み取るステップと、前記読み取られた原稿の画像データを用紙に印字するステップと、前記原稿の複数の領域のそれぞれに付加されたセキュリティコードを検出するステップと、前記原稿の複数の領域のうちの少なくとも１つの領域に付加されたパスワードを検出するステップと、前記検出されたパスワードの入力を要求するステップと、前記入力されたパスワードが適正か否かを判別するステップと、前記判別結果に基づいて、パスワードが付加された領域の画像データの印字内容を制御するステップと、を画像処理装置のコンピュータに実行させるための画像処理プログラム。
（２０）原稿の画像を読み取るステップと、Ｎ枚の原稿の画像を用紙１枚に印字するＮｉｎ１モードを設定するステップと、セキュリティコード付加モードにおいて、前記Ｎｉｎ１モードが設定されている場合には、前記用紙における各原稿の画像データの印字領域毎にセキュリティコードを付加するステップと、Ｎｉｎ１モードが設定されている場合に、印字後の複数の領域を表示するステップと、前記表示された複数の領域のうちの少なくとも一つの領域を選択するステップと、前記選択された領域にパスワードを付加するステップとを、を画像処理装置のコンピュータに実行させるための画像処理プログラム。
【発明の効果】
【００１０】
前項（１）に記載された発明によれば、複数の領域に画像が印字された原稿には、前記複数の領域のそれぞれにセキュリティコードが付加されるとともに、前記複数の領域のうちの少なくとも１つの領域にパスワードが付加されている。この原稿の画像が読み取られ、前記セキュリティコードが検出され、パスワードが検出される。パスワードが検出されると、パスワードの入力が要求され、入力されたパスワードが適正か否かが判別される。そして、その判別結果に基づいて、パスワードが付加された領域の画像データの印字手段による印字内容が制御される。このように、パスワードは原稿全体について１個が設定されているのではなく、領域毎に設定されるから、領域毎にセキュリティ管理を行うことができ、使い勝手の良い画像処理装置となしうる。
【００１１】
前項（２）に記載された発明によれば、入力されたパスワードが適正であると判別された場合には、そのパスワードが付加された領域の画像データの印字が許可されるから、例えば、その画像データのみのコピーが許可されているユーザに対して、他の領域の画像の閲覧を禁止しながら、許可された画像データのコピーが可能となる。
【００１２】
前項（３）に記載された発明によれば、Ｎ枚の元原稿の画像を用紙１枚に印字するＮｉｎ１モードにより複数の領域に画像が印字された原稿について、元原稿のセキュリティレベルに応じたセキュリティ管理を行うことができる。
【００１３】
前項（４）に記載された発明によれば、適正なパスワードが入力されなかったと判別された場合には、そのパスワードが付加された領域が白紙で出力されるから、パスワードで規制された画像が第三者に知られるのを防止することができる。
【００１４】
前項（５）に記載された発明によれば、適正なパスワードが入力されなかったと判別された場合には、その原稿についての印字ジョブが破棄されるから、パスワードで規制された画像が第三者に知られるのを防止することができる。
【００１５】
前項（６）に記載された発明によれば、適正なパスワードが入力されなかったと判別された場合には、コピー禁止の情報が印字されるから、適正なパスワードが入力されなかったことをユーザに認識させることができる。
【００１６】
前項（７）に記載された発明によれば、適正なパスワードが入力されなかったと判別された場合には、そのパスワードが付加された領域の画像データの色が変更されて印字されるから、適正なパスワードが入力されなかったことをユーザに認識させることができる。
【００１７】
前項（８）に記載された発明によれば、適正なパスワードが入力されなかったと判別された場合には、そのパスワードが付加された領域の画像データの濃度が変更された状態で印字されるから、適正なパスワードが入力されなかったことをユーザに認識させることができる。
【００１８】
前項（９）に記載された発明によれば、適正なパスワードが入力されなかったと判別された場合には、そのパスワードが付加された領域の画像データの倍率が変更された状態で印字されるから、適正なパスワードが入力されなかったことをユーザに認識させることができる。
【００１９】
前項（１０）に記載された発明によれば、適正なパスワードが入力されなかったと判別された場合には、そのパスワードが付加された領域以外の領域の画像が、適正でないと判別された領域の画像部分に詰めて印字されるから、出力状態で不自然な空白部がなくなり、体裁の良い出力物を得ることができる。
【００２０】
前項（１１）に記載された発明によれば、適正なパスワードが入力されなかったと判別された場合には、そのパスワードが付加された領域以外の領域の画像が、その回転および／または拡大により、そのパスワードが付加された領域の画像部分を埋めた状態で印字されるから、出力状態で不自然な空白部がなくなり、体裁の良い出力物を得ることができる。
【００２１】
前項（１２）に記載された発明によれば、適正なパスワードが入力されなかったと判別された場合には、コピー禁止を示すメッセージが表示手段に表示されるから、適正なパスワードが入力されなかったことをユーザに認識させることができる。
【００２２】
前項（１３）に記載された発明によれば、表示手段にパスワードが付加された領域が表示されるから、ユーザはその領域を容易に認識することができる。
【００２３】
前項（１４）に記載された発明によれば、セキュリティコードおよびパスワードは地紋パターンとして画像と共に用紙に印字されるから、セキュリティコードおよびパスワードを画像データとして扱うことができる。
【００２４】
前項（１５）に記載された発明によれば、印字手段により印字された用紙に新たなパスワードを付加できるから、より高いセキュリティを確保することができる。
【００２５】
前項（１６）に記載された発明によれば、表示手段に表示されたＮｉｎ１モードによる印字後の複数の領域の中から、少なくとも一つの領域を選択して、その領域にパスワードを付加することができるから、領域単位でパスワードが付加された原稿を容易に作成することができる。
【００２６】
前項（１７）に記載された発明によれば、パスワードは原稿全体について１個が設定されているのではなく、領域毎に設定されるから、領域毎にセキュリティ管理を行うことができ、使い勝手を向上することができる。
【００２７】
前項（１８）に記載された発明によれば、Ｎｉｎ１モードによる印字後の複数の領域のを表示し、その中から少なくとも一つの領域を選択して、その領域にパスワードを付加することができるから、領域単位でパスワードが付加された原稿を容易に作成することができる。
【００２８】
前項（１９）に記載された発明によれば、前項（１７）に記載された各処理を画像処理装置のコンピュータに実行させることができる。
【００２９】
前項（２０）に記載された発明によれば、前項（１８）に記載された各処理を画像処理装置のコンピュータに実行させることができる。
【発明を実施するための最良の形態】
【００３０】
以下、この発明の一実施形態を図面に基づいて説明する。
【００３１】
図１は、この発明の一実施形態に係る画像処理装置が適用されたＭＦＰ１００の電気的構成を示すブロック図である。
【００３２】
図１において、このＭＦＰ１００は、ＣＰＵ１と、ＲＯＭ２と、ＲＡＭ３と、スキャナ部４と、操作パネル部５と、記憶部６と、印字部７と、画像処理部８を備えている。
【００３３】
ＣＰＵ１は、ＭＦＰ１００の全体を統括制御するが、この実施形態では、特に次のような制御を行う。即ち、セキュリティコード付加モードにおいて、Ｎ枚（Ｎページ）の原稿を１枚の用紙に印字するＮｉｎ１モードが設定されている場合には、各ページの画像データを用紙の各印字領域に印字する。この際に、各印字領域毎にセキュリティコードを付加し、さらに少なくともいずれかの印字領域についてはパスワードを付加する。また、Ｎｉｎ１モードが設定されていない場合には、１枚の原稿について１つのセキュリティコードを付加し必要に応じて１つのパスワードを付加した状態で、画像データを１枚の用紙に印字する。
【００３４】
さらに、ＣＰＵ１は、パスワードが検出された場合には、パスワードの入力画面を操作パネル部５に表示したり、適正パスワードが入力されたかどうかの判別や、判別結果に応じた各部の制御などを行う。
【００３５】
この実施形態では、設定されるパスワードはセキュリティコードとともに、図３に示すように、地紋パターン４０として画像の背景に埋め込まれる。勿論、セキュリティコードやパスワードは、地紋以外の例えばバーコードや無線ＩＣチップなどにより付加されるものであってもよい。また、セキュリティコードやパスワードの検出も、セキュリティコードやパスワードの形態に応じた方法により行えばよい。また、セキュリティコードとパスワードは別々に付加されても良い。
【００３６】
ＲＯＭ２は、ＣＰＵ１の動作プログラムを格納するメモリであり、ＲＡＭ３は、ＣＰＵ１が前記動作プログラムを実行する際の作業領域を提供するメモリである。
【００３７】
スキャナ部４は、図示しない原稿台上にセットされた、あるいは自動原稿送り装置（オードドキュメントフィーダー）によって自動的に搬送される原稿の画像を読み取るものであり、読み取った原稿の画像データを画像処理部８に送出する。
【００３８】
操作パネル部５は、図５や図８に示すように、各種入力操作などに使用するキー部５１と、ＬＣＤ等からなる表示部５２とを備えている。表示部５２は、タッチパネルで構成してもよい。キー部５１は、スタートキー５１１やストップキー５１２を有している。
【００３９】
この実施形態では、ユーザは操作パネル部５により、Ｎｉｎ１モードの設定操作、セキュリティコードやパスワード（地紋パターン）を各領域毎に付加するか否かの設定操作、セキュリティコードやパスワードを付加する場合は、各領域毎のセキュリティコードやパスワードの内容入力操作、セキュリティコード付き原稿に対してセキュリティコードの検出を行うか否かの設定操作、セキュリティコードの検出を行う場合におけるコピー禁止検出時の動作モードの設定操作、パスワードの入力適否に応じた動作モードの設定操作、などを行うことができるものとなされている。そして、前記ＣＰＵ１は、上記のようなユーザの設定操作や入力を受け付けて、対応するモードの設定等を行うものとなされている。
【００４０】
記憶部６は、各種データやプログラムを記憶するものであり、例えばハードディスクなどが使用される。
【００４１】
印字部７は、スキャナ部４で読み取られ所定の画像処理が施された画像データと、セキュリティコードおよびパスワードとしての地紋パターン４０とを、ジョブ条件に従って印字するものである。
【００４２】
画像処理部８は、前記スキャナ部４で読み取られた原稿の画像データに所定の画像処理を実施するものであり、その詳細を図２を用いて説明する。
【００４３】
図２は、前記画像処理部８の機能的構成を示すブロック図である。この画像処理部８は、第１スキャナ画像処理部１１と、第２スキャナ画像処理部１２と、コントローラ１３と、プリンタ画像処理部１４と、セキュリティコード検出部１５と、地紋パターン発生部１６等を備えている。
【００４４】
第１スキャナ画像処理部１１は、前記スキャナ部４で読み取られた画像データ（Ｒ，Ｇ，Ｂ）に対して、シェーディング補正、ライン間補正、色収差補正などを行う。
【００４５】
第２のスキャナ画像処理部１２は、前記第１のスキャナ画像処理部１１から送られてきた画像データに対して、解像度変換、下地飛ばし処理、領域判別、Ｒ，Ｇ，ＢからＹ，Ｍ，Ｃ，Ｋへの変換、文字エッジ補正、誤差拡散などを行う。
【００４６】
コントローラ部１３は、第２のスキャナ画像処理部１２で処理された画像データに対して、圧縮・伸長処理を行う。
【００４７】
プリンタ画像処理部１４は、コントローラ部１３を経由した画像データに対して、印字のための処理を行う。具体的には、画像補正、イメージ合成、スクリーン処理等の処理を行う。そして、画像データ（Ｒ，Ｇ，Ｂ）は、属性情報が付加された状態で印字部７に出力される。
【００４８】
なお、プリンタ画像処理部１４におけるイメージ合成処理は、セキュリティコードおよびパスワードとしての地紋パターン４０を原稿２０の画像データと合成する処理であり、地紋パターン発生部１６により生成された地紋パターン４０が、スキャナ部４で読み取られた画像データに付加される。具体的には、画像の背景として付加される。
【００４９】
一方、第１のスキャナ画像処理部１１で処理された画像データは、セキュリティコード検出部１５にも入力される。セキュリティコード検出部１５は、第１のスキャナ画像処理部１１を経由してきた画像データから、地紋パターン４０を抽出してセキュリティコードを検出するとともに、パスワードが付加されている場合にはパスワードを検出するものであり、周知の解像度変換、前処理、コード検出処理、コード解析処理などの各処理が、ＣＰＵ１で制御されながら実行される。
【００５０】
次に、ＭＦＰ１００において、Ｎｉｎ１モード（例えば２ｉｎ１モード）が設定された状態で、各原稿の画像データを１枚の用紙の複数の領域に印字すると共に、各領域毎にセキュリティコードおよびパスワードを、地紋パターンとして付加する例を、図４を参照して説明する。
【００５１】
図４において、２枚（２ページ）の原稿２１、２２について、２ｉｎ１モードでコピーを行うと、用紙３１の左半分の領域３１ａに原稿２１の画像が印字され、用紙３１の右半分の領域３１ｂに原稿２２の画像が印字される。また、セキュリティコードの付加モードおよびパスワードの付加モードが設定されていると、各領域３１ａ、３１ｂのそれぞれに対して別々のセキュリティコードおよびパスワードが、地紋パターン４１，４２として付加される。
【００５２】
一方の地紋パターン４１は、例えば「コピー禁止」および「パスワードＤ１」を意味するものであり、他方の地紋パターン４２は、例えば「コピー禁止」および「パスワードＤ２」を意味するものとする。なお、地紋パターンとして画像に埋め込まれるセキュリティコードの内容は、「コピー禁止」に限定されることはなく、「コピー許可」であっても良いし、画像データの「座標情報」などの情報であってもよい。また、パスワードはコピー禁止状態を解除するためのものであるから、パスワードが付加される場合のセキュリティコードは「コピー禁止」となっている。
【００５３】
こうして、用紙３１の２個の領域３１ａ、３１ｂに２枚の原稿２１、２２の画像データがそれぞれ印字されるとともに、各領域３１ａ、３１ｂ毎にセキュリティコードおよびパスワードが付加された新たな原稿２３が作成される。
【００５４】
図５は、Ｎｉｎｌモードによるコピー実行時に、操作パネル部５からパスワードを入力する方法の説明図である。
【００５５】
図５において、例えば４ページの原稿２１〜２４の画像を４ｉｎ１モードでコピーする場合、各原稿画像が読み取られた後、操作パネル部５の表示部５２には、パスワードの入力を促す画面５２ａ（図５の上段に示す）が表示される。
【００５６】
具体的には、この画面５２ａには、例えば、各原稿の画像が印字される４個の領域Ｑとともに、「４ｉｎ１のできあがりに対して、入力する領域を選択して下さい」や「入力完了後にスタートキーを押下して下さい」などのメッセージが表示されている。
【００５７】
ユーザにより、領域Ｑの中からパスワードを入力する領域が選択されると、仮想キーボード６０の表示画面５２ｂ（図５の中段に示す）が表示される。
【００５８】
ユーザが仮想キーボード６０を使って選択された領域のパスワードを入力すると、パスワード入力画面５２ａ（図５の下段に示す）に戻る。
【００５９】
このパスワード入力済画面５２ａでは、選択された領域が黒塗りに表示され、パスワードの入力が完了する。
【００６０】
次に、Ｎｉｎ１モードにおいて、各原稿の画像データの印字領域毎にセキュリティコードおよびパスワードを付加して、画像データを印字する処理の手順を、図６のフローチャートを参照して説明する。この処理は、ＣＰＵ１がＲＯＭ２等の記録媒体に記録されている動作プログラムに従って動作することにより実行される。なお、ここでは原稿は自動原稿送り装置によって給送される場合を例にとって説明する。
【００６１】
図６において、ステップＳ１では、原稿がスキャナ部４の自動原稿送り装置のトレイ上にセットされるのを待ち、原稿がセットされると（ステップＳ１でＹＥＳ）、ステップＳ２では、ユーザの設定入力に基づいてモード設定を行う。モード設定は、前述したように、Ｎｉｎ１モードの設定、地紋パターン（セキュリティコード、パスワード）を付加する／付加しない（ＯＮ／ＯＦＦ）の設定、付加する場合の地紋パターンに埋め込む情報の内容設定などである。
【００６２】
ついで、ステップＳ３では、スタートキー５１１が押下されるのを待ち、スタートキー５１１が押下されると（ステップＳ３でＹＥＳ）、ステップＳ４では、原稿Ｐの画像の読み取りを行い、１枚の原稿が読み取られると、ステップＳ５では、Ｎｉｎ１モードが設定されているか否かを判断する。
【００６３】
Ｎｉｎ１モードが設定されていれば（ステップＳ５でＹＥＳ）、ステップＳ６では、Ｎ枚の原稿の読み取りが完了したか否かを判断する。Ｎ枚の原稿の読み取りが完了していなければ（ステップＳ６でＮＯ）、ステップＳ１２に進み、地紋パターンの付加設定がなされているか否か、換言すればセキュリティコード、パスワードの付加モードか否かを判断する。地紋パターンの付加設定がなされていなければ（ステップＳ１２でＮＯ）、ステップＳ２１で次の原稿があるか否かを判断し、次の原稿があれば（ステップＳ２１でＹＥＳ）、ステップＳ４に戻る。次の原稿がなければ（ステップＳ２１でＮＯ）、読み取られているＮ個未満の画像データをステップＳ１６で１枚の用紙に印字したのち、本処理を終了する。
【００６４】
地紋パターンの付加設定がなされていれば（ステップＳ１２でＹＥＳ）、ステップＳ１３では、セキュリティコードおよびパスワードが埋め込まれた地紋パターンを作成する。地紋パターンに埋め込まれるセキュリティコードとしては、前述したようにコピー禁止／許可、座標情報等である。次いで、ステップＳ１４では、次の原稿があるか否かを判断し、次の原稿があれば（ステップＳ１４でＹＥＳ）、ステップＳ４に戻る。
【００６５】
次の原稿がなければ（ステップＳ１４でＮＯ）、ステップＳ１５では、読み取られているＮ個未満の画像データの各々に対して、設定された情報に対応する地紋パターンをそれぞれ打ち込んで合成し、ステップＳ１６で合成後の画像データを１枚の用紙に印字したのち、本処理を終了する。
【００６６】
ステップＳ６において、原稿Ｎ枚の読み取りが完了していれば（ステップＳ６でＹＥＳ）、ステップＳ７では、地紋パターンの付加設定がなされているか否かを判断する。
【００６７】
地紋パターンの付加設定がなされていれば（ステップＳ７でＹＥＳ）、ステップＳ８では、Ｎ枚目の原稿の画像データに対応する地紋パターンを作成する。
【００６８】
ついで、ステップＳ９で、各原稿の画像データに各地紋パターンを打ち込んで合成したのち、ステップＳ１０で合成後のＮ個の画像データを１枚の用紙に印字する。
【００６９】
ステップＳ７で地紋パターンの付加設定がなされていなければ（ステップＳ７でＮＯ）、地紋パターンの作成と打ち込みは行わず、ステップＳ１０でＮ個の画像データを１枚の用紙に印字する。
【００７０】
次いで、ステップＳ１１で、次の原稿があるかどうかを判断し、次の原稿があれば（ステップＳ１１でＹＥＳ）、ステップＳ４に戻る。次の原稿がなければ（ステップＳ１１でＮＯ）、本処理を終了する。
【００７１】
一方、ステップＳ５で、Ｎｉｎ１モードが設定されていなければ（ステップＳ５でＮＯ）、ステップＳ１７で、地紋パターンの付加設定がなされているか否かを判断する。地紋パターンの付加設定がなされていれば（ステップＳ１７でＹＥＳ）、ステップＳ１８で地紋パターンを作成する。ステップＳ１５では、原稿の画像データに地紋パターンを打ち込んで合成したのち、ステップＳ１９で合成後の画像データを用紙に印字して、本処理を終了する。この場合は、用紙１枚に付き１個のセキュリティコード、パスワードが付加される。
【００７２】
ステップＳ１７において、地紋パターンの付加設定がなされていなければ（ステップＳ１７でＮＯ）、ステップＳ２０で、読み取られた画像データをそのまま用紙に印字する。
【００７３】
このように、この実施形態では、セキュリティコードの付加モードにおいて、Ｎ枚の原稿の画像を読み込んでＮｉｎ１モードで印字する場合、各原稿の画像データの印字領域毎にセキュリティコードを付加でき、パスワードを付加できるから、印字領域毎に換言すればコピー元の原稿毎に、例えばコピー禁止／許可等の情報やパスワードを付与することができ、より細かく柔軟な文書セキュリティ管理を行うことができる。
【００７４】
次に、図４に示したように、Ｎｉｎ１モードによりＮ枚の元原稿の画像データが印字され、かつ各画像データの印字領域毎にセキュリティコードおよびパスワードが付加された新たな原稿２３を、コピーする場合の動作について説明する。
【００７５】
原稿２３を用紙３２にコピーする場合、原稿２３の各領域３１ａ、３１ｂに埋め込まれた地紋パターン４１、４２を検出する。「コピー禁止」情報およびパスワードが検出されると、各領域３１ａ、３１ｂ毎にパスワードＤ１、Ｄ２の入力を、操作パネル部５の表示部５２を介して要求する。
【００７６】
仮に、領域３１ｂに対するパスワードＤ２が正しく入力され、領域３１ａに対するパスワードＤ１の入力が間違っているか入力されなかった場合には、その領域３１ａについては、図４に示すように、用紙３２の対応する領域３２ａを白紙の状態にして出力する。白紙の状態で出力することにより、コピー禁止の画像が第三者に知られるのを防止することができる。
【００７７】
なお、用紙３２の対応する領域３２ａを白紙の状態にして出力するのではなく、パスワードが間違っていた場合、あるいは入力されなかった場合には、その印字ジョブそのものを破棄しても良い。
【００７８】
また、領域３２ａを白紙状態とするのではなく、適正なパスワードが入力されなかったことをユーザに認識させるような画像操作を行って印字したり、あるいは白紙出力とする場合の不自然な白紙部分をなくして体裁良く印字する構成を採用しても良い。
【００７９】
このような印字の例を図７を参照して説明する。
【００８０】
原稿２３を用紙３２にコピーする場合、原稿２３の領域３１ａに対するパスワードＤ１の入力が間違っているか入力されなかった場合には、その領域３１ａの画像については、例えば図７の右側上段に示すように、画像の色を変更して用紙Ｓ２に印字する。この例では、カラー画像をグレーにして印字した場合を示している。
【００８１】
また、図７の右側中段に示すように、領域３１ａの画像を濃度を変換（例えば、濃度を薄く）して用紙３２に印字しても良い。
【００８２】
また、図示は省略したが、領域３１ａの画像を拡大しあるいは縮小して、用紙３２に印字しても良い。
【００８３】
さらにまた、図７の右側下段に示すように、領域３１ａの画像については白紙で出力すると共に、この白紙部を埋めるために、適正なパスワードが入力された領域３１ｂの画像を回転させて用紙３２の中央部位に印字したり、領域３１ｂの画像を拡大して用紙３２の全域が埋まるように印字しても良い。勿論、回転と拡大の両操作を施しても良い。
【００８４】
また、図８に示すような画像操作を行っても良い。図８は、４ｉｎ１モードにより４つの領域２３ａ〜２３ｄにパスワードＤ１〜Ｄ４が付加された原稿２３をコピーする場合を示すものであり、領域２３ｂに対応するパスワードＤ２のみが適正に入力されなかったと仮定する。
【００８５】
この場合に、図８の右側上段に示すように、適正なパスワードが入力されなかった領域２３ｂに対応する領域に、「コピー禁止」というようなコピー禁止画像であることが分かる情報を印字しても良いし、図８の右側下段に示すように、コピー禁止領域２３ｂに続くコピー許可の領域２３ｃ、２３ｄの画像Ｐ３、Ｐ４を、コピー禁止の領域２３ｂの対応部分に詰めて印字しても良い。
【００８６】
図７および図８に示すような画像操作を行うことにより、原稿２３の所有者等は、パスワードが適正でないことを認識できるし、あるいはコピー禁止の領域の画像が白紙状態で出力される場合に生じる不自然な白紙部を無くして、体裁の良い出力物とすることができる。
【００８７】
また、適正なパスワードが入力されなかった場合、図９に示すように、操作パネル部５の表示部５２の画面５２ａに、例えば、「コピー禁止コードを検出しました。＊＊＊で出力します。」のようなメッセージを併せて表示させるとよい。これにより、原稿所有者等は、適正なパスワードが入力されなかったことを、より明確に認識することができる。
【００８８】
また、図１０に示すように、パスワードが付加されているの領域（図１０の例では２３ｂおよび２３ｃ）を操作パネル部５の表示部５２に表示させても良い。この例では、パスワードの設定領域を黒塗りで表示してある。これにより、原稿所有者等は、原稿にコピー禁止画像が含まれていることを、明確に認識することができる。
【００８９】
図１１は、セキュリティコードおよびパスワード検出時の処理手順を説明するためのフローチャートである。この処理も、ＣＰＵ１がＲＯＭ２等の記録媒体に記録されている動作プログラムに従って動作することにより実行される。
【００９０】
ここでは、原稿は１枚ずつ原稿台にセットされてコピーされる場合を例にとって説明する。
【００９１】
図１１において、ステップＳ３１では、原稿がセットされるのを待ち、原稿がセットされると（ステップＳ３１でＹＥＳ）、ステップＳ３２では、ユーザの設定操作に基づいて、モード設定を行う。モード設定は、セキュリティコード、パスワードの検出を行うか否か（ＯＮ／ＯＦＦ）の設定、セキュリティコード、パスワードの検出を行う場合におけるコピー禁止検出時やパスワードの適否判断時の動作モードの設定等である。
【００９２】
ついで、ステップＳ３３では、スタートキー５１１が押下されるのを待ち、スタートキー５１１が押下されると（ステップＳ３３でＹＥＳ）、ステップＳ３４では、スキャナ部４を介して原稿の画像の読み取りを行う。
【００９３】
ステップＳ３５では、セキュリティコードの検出を行い、ステップＳ３６では、「コピー禁止」を検出したか否かを判断し、「コピー禁止」を検出しなければ（ステップＳ３６でＮＯ）、ステップＳ３７で印字動作を実行したのち、処理を終了する。
【００９４】
「コピー禁止」を検出した場合には（ステップＳ３６でＹＥＳ）、ステップＳ３８で、「コピー禁止」の領域にパスワードが付加されているかどうかを判断する。パスワードが付加されていなければ（ステップＳ３８でＮＯ）、ステップＳ３９で、セキュリティコードの情報から原稿のコピー禁止領域を算出し、ステップＳ４０では、算出したコピー禁止領域に対して、設定した動作モードによる印字の制約（禁止動作）を適用し、ステップＳ３７で前記制約の下で印字を行う。
【００９５】
ステップＳ３８において、パスワードが付加されていれば（ステップＳ３８でＹＥＳ）、ステップＳ４１では、パスワードの入力を行うかどうかをユーザに選択させ、パスワードを入力しない場合は（Ｓ４１でＮＯ）、ステップＳ３９に進み、コピー禁止領域を算出する。この場合は、制約された印字動作により印字が行われる。
【００９６】
パスワードを入力するのであれば（Ｓ４１でＹＥＳ）、ステップＳ４２では、操作パネル部５からのユーザ操作に基づいてパスワードの入力対象領域を選択し、ステップＳ４３ではパスワードの入力を受け付ける。ついで、ステップＳ４４では、入力したパスワードと設定されているパスワードとが一致するか否かを判断する。
【００９７】
入力したパスワードと設定されているパスワードとが一致していなければ（ステップＳ４４でＮＯ）、ステップＳ４８で、操作パネル部５に再入力を促す表示を行うとともに、ユーザによって再入力が実行された否かを判断し、再入力が実行されなければ（ステップＳ４８でＮＯ）、Ｓ３９に進んで、コピー禁止領域を算出する。この場合は、制約された印字動作により印字が行われる。ステップＳ４８で再入力が実行されれば（Ｓ４８でＹＥＳ）、ステップＳ４２に戻り、ステップＳ４２〜Ｓ４４の処理が繰り返される。
【００９８】
入力されたパスワードと設定されているパスワードとが一致していれば（ステップＳ４４でＹＥＳ）、ステップＳ４５でコピー禁止を解除し、ステップＳ４６で他のパスワード付加領域が存在するか否かを判断する。
【００９９】
他のパスワード付加領域が存在する場合には（ステップＳ４６でＹＥＳ）、ステップＳ４７でユーザがパスワードを入力するか否か判断し、パスワードを入力するのでなければ（ステップＳ４７でＮＯ）、Ｓ３７に進んで印字を行う。パスワードを入力するのであれば（ステップＳ４７でＹＥＳ）、ステップＳ４２に戻り、他のパスワード付加領域が存在しなくなるまで処理を繰り返す。
【０１００】
他のパスワード付加領域がなくなると（ステップＳ４６でＮＯ）、ステップＳ３７で印字を行う。
【０１０１】
このように、この実施形態では、パスワードが原稿の領域単位で付加されており、適正なパスワードが入力されたかどうかに応じて、その領域の画像データの印字内容が制御されるから、領域単位でセキュリティ管理を行うことができ、使い勝手の良い画像処理装置となしうる。
【０１０２】
図１２は、複数の領域にそれぞれセキュリティコードとパスワードが付加された原稿２３を用紙にコピーした場合に、出力された用紙に新たなセキュリティコードとパスワードを付加する場合の説明図である。
【０１０３】
具体的には、例えば、２個の領域のそれぞれに対して各地紋パターン４１（パスワードＤ１）、４２（パスワードＤ２）が付加された原稿２３をコピーする場合、用紙３２への印字の際に、用紙３２の全体に対して１個の新たな地紋パターン４３（パスワードＤ３）を付加して印字したものである。なお、新たな地紋パターンは１個に限定されることはなく、元の領域２３ａ、２３ｂに対応する領域に、それぞれ新たな地紋パターンを形成しても良い。
【０１０４】
このような操作により、パスワード付きの原稿をコピーしてパスワードのない原稿が作成されるのを防止でき、高いセキュリティを確保することができる。
【０１０５】
上述の実施形態では、セキュリティコード及びパスワードは、原稿の画像の読み取り前に操作パネル部５を介して入力することで設定されるものであった。しかしながら、これに限定されるものではない。
【０１０６】
例えば、原稿がスキャナ部４の自動原稿送り装置によって１枚給送されて、あるいは原稿台に１枚セットされて、画像が読み取られる都度、セキュリティコード及びパスワードの付加を行うようにユーザに促す。これが各原稿毎に繰り返される。すなわち、各原稿の画像の読み取り後にセキュリティコード、パスワードの設定を行うものである。
【０１０７】
あるいは、原稿がスキャナ部４の自動原稿送り装置によって全て給送されて、あるいは原稿台に１枚ずつセットされ、全ての画像の読み取りが終了したのちに、セキュリティコード、パスワードの入力が促される。すなわち、全原稿の画像の読み取り後に、セキュリティコード、パスワードの設定を行うものである。
【図面の簡単な説明】
【０１０８】
【図１】この発明の一実施形態に係る画像処理装置が適用されたＭＦＰの電気的構成を示すブロック図である。
【図２】図１の画像処理装置における画像処理部の機能的構成を示すブロック図である。
【図３】セキュリティコードおよびパスワードとしての地紋パターンの一例を示す図である。
【図４】原稿を２ｉｎ１モードで用紙にコピーし、各原稿の画像毎にセキュリティコードおよびパスワードを付加する場合の説明図である。
【図５】Ｎｉｎｌコピー実行時に操作パネル部からパスワードを入力する領域を選択する方法の説明図である。
【図６】原稿をＮｉｎ１モードで用紙にコピーし、各原稿の画像毎にセキュリティコードおよびパスワードを付加する場合の処理手順を示すフローチャートである。
【図７】適正なパスワードが入力されない場合の動作説明図である。
【図８】適正なパスワードが入力されない場合の他の動作説明図である。
【図９】適正なパスワードが入力されない場合に、表示部にメッセージを表示した状態の操作パネル部の平面図である。
【図１０】パスワードが付加された領域領域を表示部に表示した状態の操作パネル部の平面図である。
【図１１】セキュリティコード検出時の処理手順を説明するためのフローチャートである。
【図１２】複数の領域のそれぞれにセキュリティコードとパスワードが付加された原稿を用紙にコピーした場合に、用紙に新たなセキュリティコードとパスワードを付加する場合の説明図である。
【符号の説明】
【０１０９】
１          ＣＰＵ
４          スキャナ部
５          操作パネル部
７          印字部
８          画像処理部
１５        セキュリティコード検出部
５２        表示部
２０〜２３  原稿
３１、３２  用紙
４０〜４２  地紋パターン（セキュリティコード、パスワード）
３１ａ、３１ｂ、２３ａ〜２３ｄ  領域
【図１】
2008118215.tif 000003
【図２】
2008118215.tif 000004
【図３】
2008118215.tif 000005
【図４】
2008118215.tif 000006
【図５】
2008118215.tif 000007
【図６】
2008118215.tif 000008
【図７】
2008118215.tif 000009
【図８】
2008118215.tif 000010
【図９】
2008118215.tif 000011
【図１０】
2008118215.tif 000012
【図１１】
2008118215.tif 000013
【図１２】
2008118215.tif 000014